(57)【要約】      （修正有）【課題】注ぎながら液量を測定でき、カップを水平に静止しなくても適切な量の液体を確保できる動的メジャーカップを提供する。【解決手段】カップＣが水平静止状態で液体の量を計測できる水平目盛Ａとカップが傾斜した状態で液体の量を計測できるように注ぎ口Ｓから傾斜線によって示される傾斜目盛Ｂが設けられ、水平目盛Ａまたは傾斜目盛Ｂの少なくとも１ヶ所に目盛数値Ｎが設けられる。カップが傾斜した状態で液体の量を計測できる目盛が設けられるため、注ぎながら液量を測定でき、カップを水平に静止しなくても液量の確認ができる。【選択図】図３
0003190121.tif 000002
【実用新案登録請求の範囲】
【請求項１】
カップが水平静止状態で液体の量を計測できる水平目盛とカップが傾斜した状態で液体の量を計測できるように注ぎ口から傾斜線によって示される傾斜目盛が設けられ、該水平目盛または該傾斜目盛の少なくとも１ヶ所に目盛数値が設けられることを特徴とする動的メジャーカップ。
【請求項２】
前記傾斜目盛と前記水平目盛との交点から数ミリメートル離れた該水平目盛上に予告目盛を設け、あるいは、該水平目盛と該傾斜目盛を乖離させて予告機能をもたせることを特徴とする請求項１に記載の動的メジャーカップ。
【請求項３】
前記カップの上部側面に前記傾斜線の一部を配列し、あるいは該カップ上面に水平に設けられた目盛盤に該傾斜線との交点を示す目盛と目盛数値を設けることを特徴とする請求項１又は請求項２に記載の動的メジャーカップ。
【考案の詳細な説明】
【技術分野】
【０００１】
本考案は、動的メジャーカップに関するものである。
【背景技術】
【０００２】
従来のメジャーカップは、水平に静止した状態での液面表面の水平線の位置を計測するように設計されている。（特許文献１参照）
【０００３】
また、水平に静止した状態での液面表面の水平線の位置を計測することに加え、傾斜時の液面表面の水平線の位置を計測できるように提案されたものがあるが、水平静止状態と傾斜状態の目盛りの関連性表示がない。（特許文献３の図１参照）
【０００４】
さらに、水平静止状態と傾斜状態の目盛りの関連性を与えた較正目盛を提案した事例があるが、この較正目盛の構成の場合、上から俯瞰してコーヒーの様な透明性の低い液体の排泄を続けた場合、較正目盛が突然現れることになる。また、ステンレス容器のように横から確認できない場合、同様な問題が生ずる。（特許文献３の図２参照）
【先行技術文献】
【特許文献】
【０００５】
【特許文献１】特開２００４−１５７１３６号公報
【特許文献２】特表２００１−５００２４８号公報
【特許文献３】特許第４０９７２９０号
【考案の概要】
【考案が解決しようとする課題】
【０００６】
従来のジャーカップは、水平に静止した状態での液面の位置を計測するように目盛が設けられているのが一般であるが、期待するより多量の液体が注がれた場合、カップを傾けて余量を排泄した後、再度、水平にカップを静止させて目盛を確認する必要があり、適正な目盛位置に至るまで、何度もこの操作を繰り返すことになる。
【０００７】
また、適量の排泄を行う場合も、カップを傾けて排泄した後に、再度、水平にカップを静止させて排泄量が適切か目盛を確認する必要があり、連続して他の容器に適量の液を注入できない。
【０００８】
さらに、既存の較正目盛の方式では、不透明な液体を上から俯瞰して排泄を続ける場合に、突然較正目盛が出現し、排泄をし過ぎる場合が生じる場合がある。
【０００９】
前記、欠陥は、透明のカップであれば横から観察しながら操作を続ければ回避できるが、ステンレスなどの不透明な素材のカップの場合には対応できない。
【課題を解決するための手段】
【００１０】
本願考案の動的メジャーカップは、カップが水平静止状態で液体の量を計測できる水平目盛とカップが傾斜した状態で液体の量を計測できるように注ぎ口から傾斜線によって示される傾斜目盛が設けられ、該水平目盛または該傾斜目盛の少なくとも１ヶ所に目盛数値が設けられる。
【００１１】
本願考案の動的メジャーカップは、前記傾斜目盛と前記水平目盛との交点から数ミリメートル離れた該水平目盛上に予告目盛を設け、あるいは、該水平目盛と該傾斜目盛を乖離させて予告機能をもたせる。
【００１２】
本願考案の動的メジャーカップは、前記カップの上部側面に前記傾斜線の一部を配列し、あるいは該カップ上面に水平に設けられた目盛盤に該傾斜線との交点を示す目盛と目盛数値を設ける。
【考案の効果】
【００１３】
カップが傾斜した状態で液体の量を計測できるように注ぎ口から傾斜線による目盛が設けられるため、注ぎながら液量を測定でき、カップを水平に静止しなくても適切な量の液体を確保できる。
【００１４】
さらに、カップが傾斜した状態で液体の量を計測できるように注ぎ口から傾斜線による目盛が設けられるため、注ぎながら液量を調整できるので、水平にカップを静止させて残量を確認する必要がなく、連続して他の容器に注入可能となる。
【００１５】
カップを俯瞰して排泄する場合、水平目盛が斜線目盛より先に視認できるので、目標とする水平目盛と傾斜線目盛の交点の予測がつき、さらに予告目盛を水平目盛に設定することにより、目標とする水平目盛と傾斜線目盛の交点の位置を正確に予想できる。
【００１６】
水平目盛が斜線目盛より先に視認できるので、不透明の容器でも予測が容易であるほか、さらに、上部に斜線目盛の位置関係を示す目盛盤を設置することにより、操作性を向上することができる。
【図面の簡単な説明】
【００１７】
【図１】図１は、円柱型カップの側面図である。
【図２】図２は、底面が狭い円錐型カップの側面図である。
【図３】図３は、円柱型カップの目盛のデザイン例である。
【図４】図４は、目盛盤を設けた円柱型カップの説明図である。
【図５】図５は、目盛盤の平面図である。
【図６】図６は、図５の目盛盤の機能を側面に設けた説明図である。
【考案を実施するための形態】
【００１８】
本願考案の動的メジャーカップについて、円柱型カップの側面を示す図１により説明する。
【００１９】
カップＣに水平目盛Ａが設けられている。
該水平目盛Ａは、カップＣが水平に静止した場合において、注入された液体の表面の位置を示す。
【００２０】
前記カップＣには、注ぎ口Ｓを基点にした傾斜目盛Ｂが設けられている。
該傾斜目盛Ｂは、カップを傾けたときの液体表面の位置を示す。
【００２１】
前記カップＣには、目盛数値Ｎが設けられている。
【００２２】
前記カップＣの前記水平目盛Ａには、前記傾斜目盛Ｂとの交点から近い位置に予告目盛Ｄが設けられている。該予告目盛Ｄは、目標とする該水平目盛を定めて液体を排泄する際に、該傾斜目盛Ｂが迫っていることを予告し、排泄動作を制御させる機能をもつ。
【００２３】
本願考案の動的メジャーカップについて、底面が狭い円錐型カップの側面を示す図２により説明する。
【００２４】
カップＣに水平目盛Ａが設けられている。
該水平目盛Ａは、カップが水平に静止した場合において、注入された液体の表面の位置を示す。
【００２５】
前記カップＣには、注ぎ口Ｓを基点にした傾斜目盛Ｂが設けられている。
該傾斜目盛Ｂは、カップを傾けたときの液体表面の位置を示す。
【００２６】
前記カップＣには、目盛数値Ｎが設けられている。
【００２７】
前記カップＣには、安定脚Ｋを設けることができる。
【００２８】
本願考案の動的メジャーカップについて、図３により説明する。
【００２９】
図３は、水平目盛Ａと傾斜目盛Ｂのデザイン例である。液体を排泄する際に、目標の水平目盛りを定めて傾斜線に導くデザインであり、前記予告目盛Ｄの設定に替えて、該水平目盛Ａと該傾斜目盛Ｂを乖離させて、予告機能をもたせることもできる。
【００３０】
本願考案の動的メジャーカップについて、円柱型カップの側面を示す図４により説明する。
【００３１】
カップＣの上部に目盛盤ＭがＹ−Ｙ’に水平に設けられている。
該目盛盤Ｍには傾斜目盛Ｂとの交点に、目盛ａ〜目盛ｆが設けられている。
【００３２】
本願考案の動的メジャーカップについて、円柱型カップの断面を示す図５により説明する。
図５は図４のＹ−Ｙ’の断面図であり、前記目盛盤Ｍの平面図である。
【００３３】
本願考案の動的メジャーカップについて、円柱型カップの側面を示す図６により説明する。
傾斜目盛Ｂの一部をカップＣの上部側面に配置して前記図５の目盛盤Ｍと同じ機能をもたせるものである。
水平目盛Ａと該傾斜目盛Ｂの関連付けは、各目盛に固定した色を設定することにより視認しやすくすることができる。
【００３４】
前記目盛盤には、前記目盛ａ〜ｆ及び目盛数値Ｎが記される。
該目盛ａ〜ｆは、俯瞰して液体を排泄する際に視認でき、カップＣの素材の透明か不透明かを問わない。なお、該目盛ａ〜ｆは例示であり、容器により目盛数は増減する。
【符号の説明】
【００３５】
Ａ  水平目盛
Ｂ  傾斜目盛
Ｃ  カップ
Ｄ  予告目盛
Ｋ  安定脚
Ｍ  目盛盤
Ｎ  目盛数値
Ｓ  注ぎ口
Ｋ  安定脚
ａ  目盛
ｂ  目盛
ｃ  目盛
ｄ  目盛
ｅ  目盛
ｆ  目盛
【図１】
0003190121.tif 000003
【図２】
0003190121.tif 000004
【図３】
0003190121.tif 000005
【図４】
0003190121.tif 000006
【図５】
0003190121.tif 000007
【図６】
0003190121.tif 000008